(57)【要約】【課題】箱本体の上部を左右に開くことで横方向に広がって物を載せることができる包装箱において、横方向に開いた部分が上下に動かないようにして、包装箱の上部を開いて菓子類や食べ物などを安全に載せることができる包装箱を提供する。【解決手段】箱本体３の上部開閉箱部５が二つ割り状にした対の半体１０、１１を備えるものとされ、半体１０、１１を外方に開く方向に回動させて上部開閉箱部５が横方向に広がっている箱開き状態時に、ロック機構３９でこの箱開き状態時における半体１０、１１の箱本体高さ方向への回動を規制した。【選択図】図７
2018193094.tif 000002
【特許請求の範囲】
【請求項１】
ブロック状の箱本体が、四角形の箱底面から、四方に位置する下壁板であって、相対する一組の第一下壁板と相対するもう一組の第二下壁板との四面が立ち上げられている下部固定箱部と、二つ割り状の対の半体であって、下部固定箱部の相対する前記第一下壁板それぞれに折り線を介して前記半体が連接され、該半体それぞれが前記折り線の位置から外方に開く方向に回動可能とされている上部開閉箱部とから形成されていて、
前記半体それぞれは、下部固定箱部の前記下壁板に折り線を介して連続している第一上壁板と、この第一上壁板の幅方向で相対する両辺それぞれに連続していて、下部固定箱部の前記第二下壁板の上方に位置する第二上壁板とを有し、
半体それぞれを外方に開く方向に回動させて上部開閉箱部が横方向に広がっている箱開き状態時に、該箱開き状態時における前記半体の箱本体高さ方向への回動を規制するロック機構を有していることを特徴とする包装箱。
【請求項２】
上記下部固定箱部の内部に、上記対の半体の第二上壁板に沿う位置に立ち上がる係止板を有した内枠が配置されていて、
上記ロック機構は、前記係止板と、上記箱開き状態時にこの係止板に重ね合わせ可能とされている前記第二上壁板の一部分とからなり、
前記ロック機構の係止板と箱開き状態時での第二上壁板の前記一部分との係合により、半体の箱本体高さ方向への回動を規制するものである請求項１に記載の包装箱。
【請求項３】
上記内枠にドリンクホルダーが設けられている請求項２に記載の包装箱。
【請求項４】
上記対の半体の第二上壁板は、上記折り線の高さ位置より箱本体高さ方向下方に延長された延長部を有していて、
上記ロック機構は、一方の半体の第二上壁板の前記延長部と、上記箱開き状態時に前記一方の半体の第二上壁板の延長部に重ね合わせ可能とされている他方の半体の第二上壁板の延長部とからなり、
上記ロック機構の箱開き状態時での前記重なり合う延長部同士の係合により、半体の箱本体高さ方向への回動を規制するものである請求項１に記載の包装箱。
【請求項５】
上記第一上壁板から上記折り線の高さ位置をまたがるようにしてこの第一上壁板に連接されている上記第一下壁板にかけて係止板が切り込み形成されていて、
上記ロック機構は、前記第一上壁板からこの第一上壁板の外面側に向けて折り起こした係止板と、箱開き状態時での前記係止板に係合可能とされている前記第一下壁板とからなり、
上記ロック機構の箱開き状態時での第一上壁板から折り起こした係止板と第一下壁板との係合により、半体の箱本体高さ方向への回動を規制するものである請求項１に記載の包装箱。
【請求項６】
上記下部固定箱部の内部に内枠が配置されていて、前記内枠にドリンクホルダーが設けられている請求項４または５に記載の包装箱。
【発明の詳細な説明】
【技術分野】
【０００１】
本発明は、箱本体の上部側を横方向に開くことができ、開いた部分に収容物などを乗せ置くことができるようにした包装箱に関するものである。
【背景技術】
【０００２】
従来から競技スタジアムや野球場などでの観戦席には、座った人が使用できるテーブルなどの設備は無く、このためスタジアム内や球場内にある店舗で買い求めた軽食を観戦席で採ろうとする場合、食べ物を入れた器や飲料カップを自身の大腿部の上に載せたり空いている隣席に載せており、また観戦席下の床上に置いたりもしているのが現状である。
【０００３】
上述したように観戦席で軽食類を大腿部の上や膝の上に乗せ置いても当然のことながら不安定になり易いことから、特許文献１では、大腿部の上で食品などを安定的に配置させることを目的とする包装箱が提案されている。
【０００４】
この特許文献１の包装箱は椅子に座った人の大腿部の間に置くものとされており、蓋部を左右に開くことで広がりのある面を大腿部の上で形成できるようにした工夫が示されている。  
【先行技術文献】
【特許文献】
【０００５】
【特許文献１】特表２０１６−５２４５７３号公報
【発明の概要】
【発明が解決しようとする課題】
【０００６】
上記特許文献１に示されている包装箱は、蓋部を折り曲げ部分から左右に広げることで広がりのあるテーブル部分が形成できるので、スナックや軽食の食べ物が入った容器やドリンク品をこの包装箱に収容し、観戦席ではこの包装箱を大腿部の間に置いてから蓋部を開き、大腿部の上で広がった部分にスナックや軽食などの食べ物を置くようにする利用が考えられる。
【０００７】
しかしながら、特許文献１の包装箱にあっては左右に開いた蓋部が何ら固定されていないので、誤って左右の脚を大きく動かしてしまうと、蓋部それぞれが折り曲げ部分を中心にして回動するように簡単に上下に動いてしまう。そして蓋部に乗せ置いた食べ物の容器が大きく動いたり倒れたりするおそれがあり、スタンド観戦での食べ物を食べるときにテーブルになる包装箱としては採用できない。
【０００８】
そこで本発明は上記事情に鑑み、箱本体の上部を左右に開くことで横方向に広がって物を載せることができる包装箱において、横方向に開いた部分が上下に動かないようにすることを課題とし、包装箱の上部を開いて菓子類や食べ物などを安全に載せられるようにすることを目的とするものである。
【課題を解決するための手段】
【０００９】
（請求項１の発明）
本発明は上記課題を考慮してなされたもので、ブロック状の箱本体が、四角形の箱底面から、四方に位置する下壁板であって、相対する一組の第一下壁板と相対するもう一組の第二下壁板との四面が立ち上げられている下部固定箱部と、二つ割り状の対の半体であって、下部固定箱部の相対する前記第一下壁板それぞれに折り線を介して前記半体が連接され、該半体それぞれが前記折り線の位置から外方に開く方向に回動可能とされている上部開閉箱部とから形成されていて、
前記半体それぞれは、下部固定箱部の前記下壁板に折り線を介して連続している第一上壁板と、この第一上壁板の幅方向で相対する両辺それぞれに連続していて、下部固定箱部の前記第二下壁板の上方に位置する第二上壁板とを有し、
半体それぞれを外方に開く方向に回動させて上部開閉箱部が横方向に広がっている箱開き状態時に、該箱開き状態時における前記半体の箱本体高さ方向への回動を規制するロック機構を有していることを特徴とする包装箱を提供して、上記課題を解消するものである。
【００１０】
（請求項２の発明）
そして本発明において、上記下部固定箱部の内部に、上記対の半体の第二上壁板に沿う位置に立ち上がる係止板を有した内枠が配置されていて、
上記ロック機構は、前記係止板と、上記箱開き状態時にこの係止板に重ね合わせ可能とされている前記第二上壁板の一部分とからなり、
前記ロック機構の係止板と箱開き状態時での第二上壁板の前記一部分との係合により、半体の箱本体高さ方向への回動を規制するものであることが可能である。
【００１１】
（請求項３の発明）
さらに上記発明において、上記内枠にドリンクホルダーが設けられていることが可能である。
【００１２】
（請求項４の発明）
また本発明において、上記対の半体の第二上壁板は、上記折り線の高さ位置より箱高さ方向下方に延長された延長部を有していて、
上記ロック機構は、一方の半体の第二上壁板の前記延長部と、上記箱開き状態時に前記一方の半体の第二上壁板の延長部に重ね合わせ可能とされている他方の半体の第二上壁板の延長部とからなり、
上記ロック機構の箱開き状態時での前記重なり合う延長部同士の係合により、半体の箱本体高さ方向への回動を規制するものであることが可能である。
【００１３】
（請求項５の発明）
また本発明において、上記第一上壁板から上記折り線の高さ位置をまたがるようにしてこの第一上壁板に連接されている上記第一下壁板にかけて係止板が切り込み形成されていて、
上記ロック機構は、前記第一上壁板からこの第一上壁板の外面側に向けて折り起こした係止板と、箱開き状態時での前記係止板に係合可能とされている前記第一下壁板とからなり、
上記ロック機構の箱開き状態時での第一上壁板から折り起こした係止板と第一下壁板との係合により、半体の箱本体高さ方向への回動を規制するものであることが可能である。
【００１４】
（請求項６の発明）
また本発明において、上記下部固定箱部の内部に内枠が配置されていて、前記内枠にドリンクホルダーが設けられているものであることが可能である。
【発明の効果】
【００１５】
（請求項１の発明の効果）
請求項１の発明によれば、上部開閉箱部の箱開き状態時にこの上部開閉箱部を構成している半体は、半体自体の箱本体高さ方向への回動がロック機構の働きによって規制されるように設けられているので、上述した観覧席などに座っている人の大腿部の間にこの包装箱を置き、上部開閉箱部を横方向に開いて半体の回動を規制すれば、脚を多少動かしたときに半体を押し上げるようなこととなっても、その半体が単独で跳ね上がるような動きをすることがなくなる。
【００１６】
そのため、箱開き状態時での外方に開いた半体の部分にスナックや食べ物を入れた容器などを置いていた場合でも、その容器が大きく移動したり倒れたりすることを防止でき、安心して軽食などを採ることができるという効果を奏する。
【００１７】
（請求項２の発明の効果）
請求項２の発明によれば、ロック機構は、内枠の係止板と半体の第二上壁板の一部分とからなるものとされており、係止板がある内枠と半体を備える箱本体とが別部材となることから、箱本体を構成する上での制約を受けずに内枠の係止板の形状の設計の自由度が高くなり、第二上壁板の一部分と係止板との係合をより確実なものとすることができる。
【００１８】
（請求項３の発明の効果）
請求項３の発明によれば、内枠がドリンクホルダーを備えているので、このドリンクホルダーを飲み物容器の置き場所として利用することで、下部固定箱部に飲み物容器を安定的に入れておくことが可能となる。
【００１９】
（請求項４の発明の効果）
請求項４の発明によれば、ロック機構が、箱開き状態時の半体の第二上壁板の延長部を相互に係合させるものであるので、構成が簡単であり、係合操作を安易なものとすることができる。
【００２０】
（請求項５の発明の効果）
請求項５の発明によれば、ロック機構が、第一上壁板からこの第一上壁板の外面側に向けて折り起こした係止板と、箱開き状態時での前記係止板に係合可能とされている前記第一下壁板とからなるので、構成が簡単であり、係合操作を簡易なものとすることができる。
【００２１】
（請求項６の発明の効果）
請求項６の発明によれば、内枠がドリンクホルダーを備えているので、このドリンクホルダーを飲み物容器の置き場所として利用することで、下部固定箱部に飲み物容器を安定的に入れておくことが可能となる。
【図面の簡単な説明】
【００２２】
【図１】本発明に係る包装箱の第一の実施例を斜視にて示す説明図である。
【図２】第一の実施例を分解した状態で示すもので、（ａ）は箱本体を分離して上部開閉箱部を斜め下方から見た状態で示す説明図、（ｂ）は内枠を示す説明図、（ｃ）は箱本体を分離して下部固定箱部を斜め上方から見た状態で示す説明図である。
【図３】第一の実施例の展開した状態をブランクで示すもので、（ａ）は箱本体を展開した状態で示す説明図、（ｂ）は内枠を展開した状態で示す説明図である。
【図４】第一の実施例における箱開きした箱本体と内枠とを示す説明図である。
【図５】第一の実施例におけるロック機構での係止板の内側に延長部が配された状態を示す説明図である。
【図６】第一の実施例におけるロック機構で規制した状態を示す説明図である。
【図７】第二の実施例を斜視にて示す説明図である。
【図８】第二の実施例の展開した状態をブランクで示すもので、（ａ）は箱本体を展開した状態で示す説明図、（ｂ）は内枠を展開した状態で示す説明図である。
【図９】第二の実施例における箱開きした箱本体と内枠とを示す説明図である。
【図１０】第三の実施例を斜視にて示す説明図である。
【図１１】第三の実施例の展開した状態をブランクで示す説明図である。
【図１２】第三の実施例における箱開きした箱本体と内枠とを示す説明図である。
【発明を実施するための形態】
【００２３】
（第一の実施例）
つぎに本発明を図１から図１２に示す実施例に基づいて詳細に説明する。図１から図６は第一の実施例を示している。そして図中１は厚紙や段ボールなどを包材として成形された包装箱で、図１に示されているようにこの包装箱１は箱天面側に提げ手２を配した箱本体３を縦長のブロック状としていて、箱本体３が、箱底面を四角形とした下部固定箱部４と、この下部固定箱部４の上部に連接し、箱天面も四角形とした上部開閉箱部５とから形成されている。
【００２４】
（下部固定箱部）
箱本体３の下部固定箱部４は、長方形の箱底面の四辺にこの下部固定箱部４での箱胴部が形成されるように四方に位置する下壁板が連接されていて、箱底面の短辺方向で相対する一組の第一下壁板６、７と、箱底面の長辺方向で相対するもう一組の第二下壁板８、９との四面が箱底面の四辺から立ち上げられている。（図２参照）
【００２５】
（上部開閉箱部）
箱本体３の上部開閉箱部５は、箱底面と同じ大きさにした長方形の箱天面の四辺に上部開閉箱部５での箱胴部が形成されるように四方に位置する上壁板が連接されているものである。そしてこの上部開閉箱部５にあっては、上部開閉箱部５自体を開閉することができるように、二つ割り状にした対の半体１０、１１を組み合わせて形成されており、箱天面となる壁板と箱天面の短辺側に連続する位置となる壁板とがそれぞれ分割されている。（図２参照）
【００２６】
上記半体１０、１１それぞれは、下部固定箱部４に回動可能にして連接されている。一方の半体１０にあっては、上記第一下壁板６の上辺に折り線１２を介して連接され、他方の半体１１は、上記第一下壁板７に折り線１２を介して連接されていて、半体１０、１１それぞれが前記折り線１２の位置から外方に開く方向に回動可能とされている。なお、図２においては、説明を容易にするために、下部固定箱部４と上部開閉箱部５とを折り線１２の位置で分断した状態で示されている。
【００２７】
（一方の半体）
一方の半体１０にあっては、上述したように第一下壁板６の上辺に折り線１２を介して連接される第一上壁板１３と、前記第一上壁板１３の幅方向（箱天面の長辺に沿った方向）で相対する両側辺それぞれに連接されていて、箱天面の短辺に連接の壁面の半面となる第二上壁板１４、１５と、前記第一上壁板１３の上辺が連接していて、箱天面の半面を形成するための天面板１６と、この天面板１６に連接されて上記提げ手２を形成するための手掛け板１７とからなるものである。（図３参照）
【００２８】
（他方の半体）
他方の半体１１にあっては、第一下壁板７の上辺に折り線１２を介して連接される第一上壁板１８と、この第一上壁板１８の幅方向で相対する両側辺それぞれに連接されていて、上述したように箱天面の短辺に連接の壁面のもう一方の半面となる第二上壁板１９、２０と、前記第一上壁板１８の上辺が連接していて、箱天面のもう一方の半面を形成するための天面板２１と、この天面板２１に連接されて提げ手２を形成するためのもう一方の手掛け板２２とからなるものである。（図３参照）
【００２９】
上部開閉箱部５を形成する対の半体１０、１１が互いに安定的に組み合わせるように設けられている。まず、一方の半体１０における天面板１６は、相対する半体１１に向けて張り出る係止舌片２３を有している。また他方の半体１１における天面板２１は、相対する半体１０に向けて張り出ている領域に切り込みからなる係止スリット２４を有している。
【００３０】
そして前記係止舌片２３を前記係止スリット２４の部分に抜き差し可能に挿入して係止させることにより、半体１０と半体１１とはその間が自然に開いてしまうということがなく安定して組み合わされた状態となり、その組み合わせ状態で相対した半体１０と半体１１とによって上部開閉箱部５が形成されている。
【００３１】
また半体１０と半体１１の第二上壁板１４、１５、１９、２０それぞれは、折り線１２の高さ位置より箱本体高さ方向下方に延長されていて、半体１０の第二上壁板１４、１５にあっては、折り線１２の高さ位置より箱本体高さ方向下方に延長部２５、２６を有し、半体１１の第二上壁板１９、２０でも、折り線１２の高さ位置より箱本体高さ方向下方に延長部２７、２８を有している。
【００３２】
図１に示すように箱本体３がブロック状の形態のとき、即ち上部開閉箱部５が閉じているときには、半体１０での延長部２５と半体１１での延長部２８とは接するように並んでおり、同様に半体１０での延長部２６と半体１１での延長部２７とは接するように並んでいて、並んだ延長部２５と延長部２８、また延長部２６と延長部２７とで下方に凸の台形状を呈するようにしている。
【００３３】
そして凸の台形状に対応する凹み部分が第二下壁板８と第二下壁板９とに形成されていて、延長部２５、２８の組み合わせ部分が第二下壁板８の凹み部分に位置するようにし、延長部２６、２７の組み合わせ部分が第二下壁板９の凹み部分に位置するように設けられている。
【００３４】
さらに図示されているように延長部２５、２６、２７、２８それぞれは凹凸部分を有していて、隣り合う延長部２５と延長部２８との間で一方の凸部４０が他方の凹部に合致するパターンとされ、また同様に隣り合う延長部２６と延長部２７との間でも一方の凸部４０が他方の凹部に合致するパターンとされている。
【００３５】
（ブランク）
図３の（ａ）は箱本体３のブランクを示している。ブランクで示されているように下部固定箱部４の部分では、一端側から第二下壁板８と第一下壁板６と第二下壁板９と第一下壁板７とが順に連接され、第一下壁板７の側辺に連接の糊代を第二下壁板８に貼り付けて、下部固定箱部４の箱胴部分が形成されている。さらにこの実施の形態における箱本体３は箱底面を公知の底ロック式のワンタッチ底にしていて、この箱本体３を扁平状態からブロック状に起こすことで箱底面が自動形成されるようにしており、第二下壁板８と第一下壁板６と第二下壁板９と第一下壁板７とのそれぞれにワンタッチ底にするための箱底面形成板２９を連接して箱底面が形成されている。
【００３６】
上記上部開閉箱部５における半体１０の部分では、上述したように第一上壁板１３が上記第一下壁板６に折り線１２を介して連接され、この第一上壁板１３の両側辺に第二上壁板１４、１５を連接し、第一上壁板１３の上辺に上記天面板１６を連接している。そして天面板１６に前記第二上壁板１４、１５を連結するために貼着フラップ３０を有していて、貼着フラップ３０を天面板１６に貼り付けることで、第二上壁板１４、１５が天面板１６の辺部に連接する形態となるようにしている。また天面板１６に手掛け板１７とが一体に連接されている。
【００３７】
同様に半体１１の部分でも、第一上壁板１８が上記第一下壁板７に折り線１２を介して連接され、第一上壁板１８の両側辺に第二上壁板１９、２０を連接し、第一上壁板１８の上辺に上記天面板２１を連接している。そして天面板２１に前記第二上壁板１９、２０を連結するための貼着フラップ３０を有していて、貼着フラップ３０を天面板２１に貼り付けることで、第二上壁板１９、２０が天面板２１の辺部に連接する形態となっている。また天面板２１には手掛け板２２が連接され、上述したように天面板２１での半体１０側に張り出た領域に係止スリット２４が設けられている。
【００３８】
このように上部開閉箱部５にあっては、下部固定箱部４の第一下壁板６に半体１０が連接されて、折り線１２の位置から外方に向けて回動させることができるとともに、下部固定箱部４の第一下壁板７に半体１１が連接されて、折り線１２の位置から前記半体１０とは反対側での外方に向けて回動させることができる。よって係止舌片２３と係止スリット２４との係合を解いてから半体１０、１１を外方に向けて回動させることで、図４に示すように上部開閉箱部５を開くことができる。
【００３９】
（内枠）
上記包装箱１は内枠３１を備えている。そして内枠３１は箱本体３と同じ包材からなるもので、下部固定箱部４の内部に配置されている。図２と図３（ｂ）と図４とに示すように内枠３１は下部固定箱部４の四方四面の第二下壁板８、第一下壁板６、第二下壁板９、第一下壁板７の内面に沿うように一枚の包材を折り曲げられていて、第二下壁板８、９に沿う位置に立ち上がる係止板３２を有し、一方の係止板３２とその両脇に連接する枠板３３の領域に入るようにしてホルダー板３４が切り込み形成され、そのホルダー板３４を下部固定箱部４の中心側に折り出すことによってドリンクフォルダー３５が形成されている。
【００４０】
（係止板）
係止板３２それぞれの上部には、この係止板３２に連接の折曲フラップ３６を箱底面に向けて折り曲げて、さらにその折曲フラップ３６の側端それぞれを係止板３２の両脇に位置する枠板３３に係止させて、折曲係止部３７が設けられている。そして係止板３２の上部上端となる折曲フラップ３６の折り曲げ部分には、包材厚さ方向に抜けた切り欠き及び透孔からなる掛け留め部３８が位置している。
【００４１】
（ロック機構）
本発明での上記包装箱１は上述したように箱本体３の上部開閉箱部５が対の半体１０、１１とからなり、この半体１０、１１をそれぞれ半体方向にして外方に開くように回動させることで、上部開閉箱部５が横方向に広がる箱開き状態とすることができる。そして箱開き状態時における半体１０、１１の箱本体高さ方向への回動を規制するロック機構３９を有していて、このロック機構３９が、半体１０、１１それぞれの上記延長部２５、２６、２７、２８と上記係止板３２の折曲係止部３７とで構成されている。（図５、図６参照）
【００４２】
第一の実施例における包装箱１において、ロック機構３９での係合はつぎのようにして行なう。半体１０、１１それぞれを外方に回動させて第一下壁板１３、１４に対して直角となるようにしながら、さらに第二下壁板８側の係止板３２の内面に延長部２５、２８を重ね合わせた状態にし、もう一方の第二下壁板９側の係止板３２の内面に延長部２６、２７を重ね合わせた状態とする。（図５）
【００４３】
そして係止板３２の内面に延長部２５、２６、２７、２８を重ね合わせた状態で、一方の折曲フラップ３６を折り倒して延長部２５、２８を挟み込むとともに、他方の折曲フラップ３６を折り倒して延長部２６、２７を挟み込むようにする。さらに一方の組の延長部２５、２８の上記凹凸部分の凸部４０それぞれを一方の係止板３２における掛け留め部３８の切り欠き、透孔に挿入係止させ、他方の組の延長部２６、２７の凹凸部分の凸部４０それぞれも他方の係止板３２における掛け留め部３８の切り欠き、透孔に挿入係止させ、折曲フラップ３６それぞれを、両脇の枠板３３に係止させて上記折曲係止部３７を形成する。（図６）
【００４４】
上記ロック機構３９による係合関係は、第一下壁板６、７に対して直角に折れる角度にして半体１０、１１を外方に向けて回動させ、半体１０、１１での延長部２５、２８を一方の係止板３２での折曲係止部３７で挟み込みし、また延長部２６、２７を他方の係止板３２での折曲係止部３７で挟み込みをして、凸部４０（延長部の凹凸部分）の掛け留め部３８（係止板３２）への挿入係止によって、延長部と係止板との間で形成されるものであり、上部開閉箱部５が横方向に開いた箱開き状態のときの延長部２５、２６、２７、２８が係止板３２に重ね合わされて保持され、半体１０、１１が箱本体高さ方向への回動を行なわないようにする。
【００４５】
このように半体１０、１１が箱本体高さ方向に回動しないように規制し、上部開閉箱部５の箱開き状態が維持されるときは、半体１０、１１が箱本体高さ方向に対して直角となるように設けられており、半体１０、１１それぞれの第一上壁板１３、１８が平らな面となり、物品を載せることができる載置面としての役割を果たす。
【００４６】
包装箱１の使用に際しては、予め箱本体３をブロック状の形態にしてその内部にスナックや軽食を収めた容器類を収納しておく。そして上部開閉箱部５を横方向に開いて上述のようにしてロック機構３９により箱開き状態を維持させる。さらに下部固定箱部３を脚の間に挟み込むなどしながら、内部のスナックや軽食を収めた容器類を半体１０、１１の第一上壁板１３、１８の上に置くようにすればよい。ロック機構３９で延長部と係止板との間での係合関係を成立させているので、仮に脚を少し上げ下げして半体１０、１１に軽く当たったとしても、この半体１０、１１それぞれが単独で動くことがない。そのため、半体１０、１１に載せた物品の不用意な移動や倒れを防止できる。
【００４７】
内枠３１は予め四方四面の下壁板に沿うように配置しておいたり、或いは扁平な形態で箱本体の内部に折り入れて起き、使用者側でこの内枠を下壁板に沿うように配置させるようにしてもよい。またホルダー板３４が引き出されていて、ドリンクホルダー３５が予めに形成されているものとしたり、必要に応じて使用者側でドリンクフォルダーを形成するものとしてもよい。
【００４８】
上述の例では、包装箱の包材として厚紙や段ボールを例示したが、軽量で強度がある包材であればよく、限定されるものではない。厚紙、段ボール以外としては、アート紙、コート紙、ポリオレフィン樹脂板、ポリエステル樹脂板などを用いることができる。
【００４９】
また、包装箱の大きさは限定されるものではないが、弁当箱とカップが入る大きさが良好である。そして縦長とすると、箱開き状態時に半体二つによる載置面の部分が広く確保できるようになる。大きさとして例えば箱底面１０ｃｍ×１５ｃｍ、箱本体の高さ２０ｃｍとすることができる。また下部固定箱部の部分の高さとしては、脚の大腿部で固定できる高さであればよく、１０ｃｍ程度が良好である。
【００５０】
（第二の実施例  図７〜図９）
第一の実施例の包装箱１は、ロック機構３９が、箱本体の内部に配される内枠の係止板３２と半体１０、１１の延長部２５、２６、２７、２８とで構成されているものを示したが、これに限定されるものではない。以下に他の実施例について説明する。なお、以下の他の実施例での包材の種類や箱本体の大きさについても、第一の実施例の場合と同じとすることができる。
【００５１】
（ロック機構）
第二の実施例の包装箱１は、半体１０の第二上壁板１４、１５と半体１１の第二上壁板１９、２０とが上部開閉箱部５を箱開きしたときに一部分が互いに重なり合って係合関係を形成できるようにしたロック機構３９を備えているものであり、このように半体１０の一部分と半体１１の一部分とからなるロック機構３９を有していて、ロック機構３９の一部としては内枠３１を用いない点で、上記第一の実施例と異なっている。よって内枠３１自体は第一の実施例での係止板は存在しない。
【００５２】
なお、第二の実施例の包装箱１の下部固定箱部４は、胴回り方向に第二下壁板８と第一下壁板６と第二下壁板９と第一下壁板７とが順に連接され、一端の第二下壁板８に糊代が連接され、この糊代の部分を第一下壁板７に貼り付けるようにしている。
【００５３】
（延長部）
第二の実施例での箱本体３において、胴回り方向に隣り合う配置の延長部２５と延長部２８、また同じく胴回り方向で隣り合う配置の延長部２６と延長部２７は、上記第一の実施例と同じように第二上壁部１４、１５、１９、２０の下端を折り線１２の高さ位置から下方に延長したものである。
【００５４】
そして、この第二の実施例では、半体１０、１１が第一下壁板６、７に対して直角となる箱開き状態時に延長部２５と延長部２８とがそれぞれの下端部分（箱本体ブロック状態時の下端部分）で重なり合うように、この延長部２５と延長部２８との箱本体高さ方向の長さが設定されている。また同様に前記箱開き状態時に延長部２６と延長部２７とがそれぞれの下端部分（箱本体ブロック状態時の下端部分）で重なり合うように、この延長部２６と延長部２７との箱本体高さ方向での長さが設定されている。（図９参照）
【００５５】
図８に示されているように、延長部２５と延長部２８との箱開き状態時に重なり合う部分において、一方の延長部２５には係止フラップ４１が対にして設けられ、他方の延長部２８には係止孔４２が開口されている。また、延長部２６と延長部２７との箱開き状態時に重なり合う部分において、一方の延長部２７には係止フラップ４１が対にして設けられ、他方の延長部２６には係止孔４２が開口されている。
【００５６】
第二の実施例において、箱本体３の内部には、下部固定箱部４の四方四面の下壁板６、７、８、９の内面に枠板３３が対応位置するようにして包材を折ってなる内枠３１が組み入れられている。そして内枠３１には上記第一の実施例の内枠と同じようにドリンクホルダー３５となるホルダー板３４が切り込みにより形成されている。
【００５７】
第二の実施例の包装箱１を箱開きする場合、箱本体３がブロック状となっている状態から上部開閉箱部５の半体１０、１１それぞれを外方に向けて開くように回動させ、半体１０と半体１１とが第一下壁板６、７に対して直角の折れ角となるようにする。
【００５８】
このとき、ロック機構３９の延長部２５と延長部２８との下端部分が重なり合っていて、延長部２５の係止フラップ４１を延長部２８の係止孔４２に係止させればよく、これによってロック機構３９での延長部２５と延長部２８との間で係合関係が成立するようになる。同様にロック機構３９の延長部２６と延長部２７との下端部分も重なり合っていて、延長部２７の係止フラップ４１を延長部２６の係止孔４２に係止させればよく、これによってロック機構３９の延長部２６と延長部２７との間で係合関係が成立するようになる。（図９参照）
【００５９】
第二の実施例の包装箱１においても、上述のように上部開閉箱部５を開いて延長部２５と延長部２８とを係合させるとともに、延長部２７と延長部２６とを係合させることによって、半体１０と半体１１とはそれぞれ箱本体高さ方向への回動ができなくなり、開いた半体１０、１１の第一上壁板１３、１８を、スナックや食品を収容した容器などを乗せ置くための安定した載置面として利用できる。
【００６０】
（第三の実施例  図１０から図１２）
上述したように第一の実施例と第二の実施例とは、ロック機構を、箱本体の箱底面の短辺から立ち上がる壁板側に構成されている。しかしながら、本発明の包装箱は、ロック機構を、箱本体の箱底面の短辺から立ち上がる壁板側に構成するものとすることに限定されず、その例を第三の実施例として以下に示す。
【００６１】
この第三の実施例にあっては下部固定箱部４の第一下壁板６と上部開閉箱部５の第一上壁板１３との間に一方のロック機構３９が形成されているとともに、下部固定箱部４の第一下壁板７と上部開閉箱部５の第一上壁板１８との間に他方のロック機構３９が形成されていて、この点で第三の実施例が、第一の実施例及び第二の実施例と相違している。
【００６２】
なお、第三の実施例の包装箱１の下部固定箱部４は、胴回り方向に第二下壁板８と第一下壁板６と第二下壁板９と第一下壁板７とが順に連接され、一端の第二下壁板８に糊代が連接され、この糊代の部分を第一下壁板７に貼り付けるようにしている。さらに第三の実施例では第二上壁板１４、１５、１９、２０それぞれは、第一、第二の実施例のように折り線高さ位置より下方に延長される延長部を有するものではない。
【００６３】
（ロック機構）
第三の実施例の包装箱１において、図１１に示されているように上部開閉箱部５の第一上壁板１３から折り線１２の高さ位置を跨ぐようにして下部固定箱部４の第一下壁板６にかけて係止板４３が配置されているとともに、同様にして第一上壁板１８から折り線１２の高さ位置を跨ぐようにして第一下壁板７にかけて係止板４３が配置されている。
【００６４】
上記係止板４３それぞれは、第一上壁板１３、１８から折り線高さ位置を通って第一下壁板６、７にかけて、第一上壁板１３、１８の幅方向に凸の形状にするとともに折り線高さ位置でＶ形状にした切り込み４４と、前記切り込み４４の下端から折り線高さ位置に達する湾曲した切り込み４５を入れて形成されたものであり、切り込み４４の上端（第一上壁板側）から下端（第一下壁板）にかけて縦の折り線４６が設けられ、この折り線４６の位置から第一上壁板１３、１８の外方に向けて折り起こし可能とされている。
【００６５】
さらに第一上壁板１３、１８を第一下壁板６、７に対して直角となるように半体１０、１１を外方に開く方向に回動させた際に、第一上壁板１３、１８の回動に伴なって係止板４３が第一下壁板６、７から離れて、第一下壁板６、７の切り込み縁４７（係止板４３を得るための切り込み４４の縁）が表出する。この切り込み縁４７に係止板４３のＶ形状の部分が咬み込んで係止できるようにしていて、この係止板４３と第一下壁板６、７の前記切り込み縁４７とにより、ロック機構３９が形成されている。
【００６６】
第三の実施例の包装箱１を箱開きする場合、上記第一、第二の実施例と同様に箱本体３がブロック状となっている状態から上部開閉箱部５の半体１０、１１それぞれを外方に向けて開くように回動させ、半体１０と半体１１とが第一下壁板６、７に対して直角の折れ角となるようにする。
【００６７】
そして上述したように上部開閉箱部５の開きによって第一下壁板６、７から離れる係止板４３を折り線４６の位置から折り倒すことで、この係止板４３の上記Ｖ形状の部分が第一下壁板６、７の上記切り込み縁４７に咬み込むようになって、係止板４３と第一下壁板６とが係合した状態、また係止板４３と第一下壁板７とが係合した状態のロック機構３９が形成される。（図１２）
【００６８】
このように半体１０側と半体１１側とのロック機構３９それぞれが係合状態となることで、半体１０と半体１１とはそれぞれ箱本体高さ方向への回動が規制され、第一の実施例、第二の実施例と同じく半体１０、１１の第一上壁板１３、１８を、スナックや食品を収容した容器などを乗せ置くための安定した載置面として利用できる。
【符号の説明】
【００６９】
１…包装箱
２…提げ手
３…箱本体
４…下部固定箱部
５…上部開閉箱部
６、７…第一下壁板
８、９…第二下壁板
１０、１１…半体
１２…折り線
１３、１８…第一上壁板
１４、１５…第二上壁板
１６、２１…天面板
１７、２２…手掛け板
１９、２０…第二上壁板
２５、２６、２７、２８…延長部
３１…内枠
３２…係止板
３５…ドリンクホルダー
３６…折曲フラップ
３７…折曲係止部
３８…掛け留め部
３９…ロック機構
４０…凸部
４１…係止フラップ
４２…係止孔
４３…係止板
４４、４５…切り込み
４７…切り込み縁
【図１】
2018193094.tif 000003
【図２】
2018193094.tif 000004
【図３】
2018193094.tif 000005
【図４】
2018193094.tif 000006
【図５】
2018193094.tif 000007
【図６】
2018193094.tif 000008
【図７】
2018193094.tif 000009
【図８】
2018193094.tif 000010
【図９】
2018193094.tif 000011
【図１０】
2018193094.tif 000012
【図１１】
2018193094.tif 000013
【図１２】
2018193094.tif 000014